(57)【要約】【課題】Ｕ−Ｐｌａｎｅのデータの通信を品質良く行う基地局装置を提供する。【解決手段】通信装置から送信されるデータ信号を受信し当該データ信号を端末装置に対して送信することを行う第１の基地局装置と、端末管理装置から送信される制御信号を受信し当該制御信号を前記端末装置に対して送信することおよび前記通信装置から送信される前記データ信号を受信し当該データ信号を前記端末装置に対して送信することを行う第２の基地局装置と、を有する通信システムにおける前記第１の基地局装置であって、前記データ信号について通信品質に関する情報を前記通信装置または他の所定の装置に対して通知するように制御する通信品質通知制御部と、前記通信装置から送信されるデータ信号を受信し、当該データ信号を前記端末装置に対して送信するように制御するデータ通信制御部と、を備える基地局装置である。【選択図】図４
2015177509.tif 000002
【特許請求の範囲】
【請求項１】
通信装置から送信されるデータ信号を受信し当該データ信号を端末装置に対して送信することを行う第１の基地局装置と、端末管理装置から送信される制御信号を受信し当該制御信号を前記端末装置に対して送信することおよび前記通信装置から送信される前記データ信号を受信し当該データ信号を前記端末装置に対して送信することを行う第２の基地局装置と、を有する通信システムにおける前記第１の基地局装置であって、
前記データ信号について通信品質に関する情報を前記通信装置または他の所定の装置に対して通知するように制御する通信品質通知制御部と、
前記通信装置から送信されるデータ信号を受信し、当該データ信号を前記端末装置に対して送信するように制御するデータ通信制御部と、
を備える基地局装置。
【請求項２】
通信装置から送信されるデータ信号を受信し当該データ信号を端末装置に対して送信することを行う第１の基地局装置と、端末管理装置から送信される制御信号を受信し当該制御信号を前記端末装置に対して送信することおよび前記通信装置から送信される前記データ信号を受信し当該データ信号を前記端末装置に対して送信することを行う第２の基地局装置と、を有する通信システムにおける前記第２の基地局装置であって、
前記データ信号について通信品質に関する情報を前記通信装置または他の所定の装置に対して通知するように制御する通信品質通知制御部と、
前記通信装置から送信されるデータ信号を受信し、当該データ信号を前記端末装置に対して送信するように制御するデータ通信制御部と、
前記端末管理装置から送信される制御信号を受信し、当該制御信号を前記端末装置に対して送信するように制御する制御信号通信制御部と、
を備える基地局装置。
【請求項３】
通信装置から送信されるデータ信号を受信し当該データ信号を端末装置に対して送信することを行う第１の基地局装置と、端末管理装置から送信される制御信号を受信し当該制御信号を前記端末装置に対して送信することおよび前記通信装置から送信される前記データ信号を受信し当該データ信号を前記端末装置に対して送信することを行う第２の基地局装置と、を有する通信システムにおける前記第１の基地局装置であって、
前記データ信号について通信品質に関する情報を前記第２の基地局装置に対して通知するように制御する通信品質通知制御部と、
前記通信装置から送信されるデータ信号を受信し、当該データ信号を前記端末装置に対して送信するように制御するデータ通信制御部と、
を備える基地局装置。
【請求項４】
通信装置から送信されるデータ信号を受信し当該データ信号を端末装置に対して送信することを行う第１の基地局装置と、端末管理装置から送信される制御信号を受信し当該制御信号を前記端末装置に対して送信することおよび前記通信装置から送信される前記データ信号を受信し当該データ信号を前記端末装置に対して送信することを行う第２の基地局装置と、を有する通信システムにおける前記第２の基地局装置であって、
前記データ信号について、前記第１の基地局装置から送信される通信品質に関する情報を受信し、受信した通信品質に関する情報および自装置についての通信品質に関する情報を前記通信装置または他の所定の装置に対して通知するように制御する通信品質通知制御部と、
前記通信装置から送信されるデータ信号を受信し、当該データ信号を前記端末装置に対して送信するように制御するデータ通信制御部と、
前記端末管理装置から送信される制御信号を受信し、当該制御信号を前記端末装置に対して送信するように制御する制御信号通信制御部と、
を備える基地局装置。
【請求項５】
通信装置から送信されるデータ信号を受信し当該データ信号を端末装置に対して送信することを行う第１の基地局装置と、端末管理装置から送信される制御信号を受信し当該制御信号を前記端末装置に対して送信することおよび前記通信装置から送信される前記データ信号を受信し当該データ信号を前記端末装置に対して送信することを行う第２の基地局装置と、を有する通信システムにおける前記通信装置または他の装置である通信制御装置であって、
前記第１の基地局装置から送信される通信品質に関する情報を受信し、前記第２の基地局装置から送信される通信品質に関する情報を受信する通信品質収集制御部と、
前記通信品質収集制御部により受信された情報に基づいて、前記データ信号を前記端末装置に対して送信するために経由させる基地局装置を選択し、選択した基地局装置を経由させて前記データ信号を前記端末装置に対して送信するデータ通信制御部と、
を備える通信制御装置。
【請求項６】
通信装置から送信されるデータ信号を受信し当該データ信号を端末装置に対して送信することを行う第１の基地局装置と、端末管理装置から送信される制御信号を受信し当該制御信号を前記端末装置に対して送信することおよび前記通信装置から送信される前記データ信号を受信し当該データ信号を前記端末装置に対して送信することを行う第２の基地局装置と、を有する通信システムにおける前記通信装置または他の装置である通信制御装置であって、
前記第２の基地局装置から送信される前記第１の基地局装置についての通信品質に関する情報および前記第２の基地局装置についての通信品質に関する情報を受信する通信品質収集制御部と、
前記通信品質収集制御部により受信された情報に基づいて、前記データ信号を前記端末装置に対して送信するために経由させる基地局装置を選択し、選択した基地局装置を経由させて前記データ信号を前記端末装置に対して送信するデータ通信制御部と、
を備える通信制御装置。
【請求項７】
第１の基地局装置は、データ信号について通信品質に関する情報を通信装置または他の所定の装置である通信制御装置に対して通知すること、および、前記通信装置から送信されるデータ信号を受信し当該データ信号を端末装置に対して送信すること、を行い、
第２の基地局装置は、前記データ信号について通信品質に関する情報を前記通信制御装置に対して通知すること、前記通信装置から送信される前記データ信号を受信し当該データ信号を前記端末装置に対して送信すること、および、端末管理装置から送信される制御信号を受信し当該制御信号を前記端末装置に対して送信すること、を行い、
前記通信制御装置は、前記第１の基地局装置から送信される通信品質に関する情報を受信すること、前記第２の基地局装置から送信される通信品質に関する情報を受信すること、および、受信された情報に基づいて、前記データ信号を前記端末装置に対して送信するために経由させる基地局装置を選択すること、を行う、
通信システム。
【請求項８】
第１の基地局装置は、データ信号について通信品質に関する情報を第２の基地局装置に対して通知すること、および、通信装置から送信されるデータ信号を受信し当該データ信号を端末装置に対して送信すること、を行い、
前記第２の基地局装置は、前記データ信号について、前記第１の基地局装置から送信される通信品質に関する情報を受信し、受信した通信品質に関する情報および自装置についての通信品質に関する情報を前記通信装置または他の所定の装置である通信制御装置に対して通知すること、前記通信装置から送信される前記データ信号を受信し当該データ信号を前記端末装置に対して送信すること、および、端末管理装置から送信される制御信号を受信し当該制御信号を前記端末装置に対して送信すること、を行い、
前記通信制御装置は、前記第２の基地局装置から送信される通信品質に関する情報を受信すること、および、受信された情報に基づいて、前記データ信号を前記端末装置に対して送信するために経由させる基地局装置を選択すること、を行う、
通信システム。
【請求項９】
第１の基地局装置は、データ信号について通信品質に関する情報を通信装置または他の所定の装置である通信制御装置に対して通知すること、および、前記通信装置から送信されるデータ信号を受信し当該データ信号を端末装置に対して送信すること、を行い、
第２の基地局装置は、前記データ信号について通信品質に関する情報を前記通信制御装置に対して通知すること、前記通信装置から送信される前記データ信号を受信し当該データ信号を前記端末装置に対して送信すること、および、端末管理装置から送信される制御信号を受信し当該制御信号を前記端末装置に対して送信すること、を行い、
前記通信制御装置は、前記第１の基地局装置から送信される通信品質に関する情報を受信すること、前記第２の基地局装置から送信される通信品質に関する情報を受信すること、および、受信された情報に基づいて、前記データ信号を前記端末装置に対して送信するために経由させる基地局装置を選択すること、を行う、
通信方法。
【請求項１０】
第１の基地局装置は、データ信号について通信品質に関する情報を第２の基地局装置に対して通知すること、および、通信装置から送信されるデータ信号を受信し当該データ信号を端末装置に対して送信すること、を行い、
前記第２の基地局装置は、前記データ信号について、前記第１の基地局装置から送信される通信品質に関する情報を受信し、受信した通信品質に関する情報および自装置についての通信品質に関する情報を前記通信装置または他の所定の装置である通信制御装置に対して通知すること、前記通信装置から送信される前記データ信号を受信し当該データ信号を前記端末装置に対して送信すること、および、端末管理装置から送信される制御信号を受信し当該制御信号を前記端末装置に対して送信すること、を行い、
前記通信制御装置は、前記第２の基地局装置から送信される通信品質に関する情報を受信すること、および、受信された情報に基づいて、前記データ信号を前記端末装置に対して送信するために経由させる基地局装置を選択すること、を行う、
通信方法。
【発明の詳細な説明】
【技術分野】
【０００１】
本発明は、基地局装置、通信制御装置、通信システムおよび通信方法に関する。
【背景技術】
【０００２】
３ＧＰＰで検討されているＬＴＥ−Ａｄｖａｎｃｅｄシステムでは、周波数利用効率とピークスループットの向上を目的として、複数の周波数帯域（コンポーネントキャリア（ＣＣ：Ｃｏｍｐｏｎｅｎｔ  Ｃａｒｒｉｅｒ））を同時に使用するキャリアアグリゲーション（ＣＡ：Ｃａｒｒｉｅｒ  Ａｇｇｒｅｇａｔｉｏｎ）技術が採用されている（非特許文献１参照。）。
【０００３】
キャリアアグリゲーションの一つの形態であるインターサイト  キャリアアグリゲーション（Ｉｎｔｅｒ−Ｓｉｔｅ  ＣＡ）では、移動端末装置（ＵＥ：Ｕｓｅｒ  Ｅｑｕｉｐｍｅｎｔ）は、異なる場所に設置された複数の基地局装置（ｅＮＢ：Ｅ−ＵＴＲＡＮ  ＮｏｄｅＢ）と同時に接続し、基地局装置毎に異なる周波数帯域（ＣＣ）を使用して通信する。
さらに、基地局装置と移動端末装置との通信において、Ｃ−ＰｌａｎｅとＵ−Ｐｌａｎｅを分離して、それぞれを異なる基地局装置を介して伝送するネットワーク形態（デュアルコネクティビティ：Ｄｕａｌ  Ｃｏｎｎｅｃｔｉｖｉｔｙ）が提案されている（非特許文献２参照。）。
【０００４】
ここで、Ｃ−Ｐｌａｎｅは、移動端末装置の接続管理（ユーザ管理）やモビリティ制御を行うためのプロトコルである。移動端末装置の接続管理に関する情報は、ＭＭＥ（Ｍｏｂｉｌｉｔｙ  Ｍａｎａｇｅｍｅｎｔ  Ｅｎｔｉｔｙ）で保持される。ＭＭＥは、ユーザ管理や、モビリティ制御関連の処理を行う。
Ｕ−Ｐｌａｎｅは、ユーザトラヒックやスケジューリング情報の送受信に関するプロトコルである。基地局装置と移動端末装置で構成されるモバイルネットワークは、Ｓ−ＧＷ（Ｓｅｒｖｉｎｇ−Ｇａｔｅｗａｙ）を介して外部のインターネットと接続される。
【０００５】
デュアルコネクティビティにおいて、Ｃ−Ｐｌａｎｅのデータの送受信を司る基地局装置をＭｅＮＢ（Ｍａｓｔｅｒ  ｅＮＢ）と呼ぶ。ＭｅＮＢは、主に、移動端末装置のカバレッジ確保のために広くエリア展開される。ＭｅＮＢは、Ｕ−Ｐｌａｎｅの送受信も行う。
一方、Ｕ−Ｐｌａｎｅのみを送受信する基地局装置をＳｅＮＢ（Ｓｅｃｏｎｄａｒｙ  ｅＮＢ）と呼ぶ。ＳｅＮＢは、主に、容量拡大のためにスポット的に設置される。
【先行技術文献】
【非特許文献】
【０００６】
【非特許文献１】３ＧＰＰ  ＴＳ３６．３００  ｖ１１．３．０、  “Ｅ−ＵＴＲＡ  ａｎｄ  Ｅ−ＵＴＲＡＮ  ｏｖｅｒａｌｌ  ｄｅｓｃｒｉｐｔｉｏｎ”、  ２０１２−０９．
【非特許文献２】ＮＴＴ  ＤＯＣＯＭＯ  ＩＮＣ．、  “Ｒｅｑｕｉｒｅｍｅｎｔｓ，  Ｃａｎｄｉｄａｔｅ  Ｓｏｌｕｔｉｏｎｓ  ＆  Ｔｅｃｈｎｏｌｏｇｙ  Ｒｏａｄｍａｐ  ｆｏｒ  ＬＴＥ  Ｒｅｌ−１２  Ｏｎｗａｒｄ”、  ３ＧＰＰ  Ｗｏｒｋｓｈｏｐ  ｏｎ  Ｒｅｌｅａｓｅ  １２  ａｎｄ  ｏｎｗａｒｄｓ、  ＲＷＳ−１２００１０、  Ｊｕｎｅ  １１−１２、  ２０１２．
【発明の概要】
【発明が解決しようとする課題】
【０００７】
ＬＴＥの通信システムにおいて、Ｕ−Ｐｌａｎｅのデータの通信については、Ｓ−ＧＷがＭｅＮＢを経由させてＵＥに送信する通信経路や、Ｓ−ＧＷがＳｅＮＢを経由させてＵＥに送信する通信経路が考えられる。
しかしながら、現状のＬＴＥの通信システムでは、Ｓ−ＧＷにおいてＭｅＮＢを経由する通信経路とＳｅＮＢを経由する通信経路について通信品質が把握されていなかった。このため、Ｓ−ＧＷがＵ−Ｐｌａｎｅの通信経路の制御を司る場合、通信品質に応じた動的な通信経路の制御を行うことができず、効率が悪い回線を通信経路に選択して通信品質が低下する場合が考えられ、ＱｏＳ（Ｑｕａｌｉｔｙ ｏｆ Ｓｅｒｖｉｃｅ）の保証が難しかった。
【０００８】
本発明は、このような事情を考慮してなされたもので、Ｕ−Ｐｌａｎｅのデータの通信を品質良く行うことができる基地局装置、通信制御装置、通信システムおよび通信方法を提供することを課題とする。
【課題を解決するための手段】
【０００９】
（１）上記の課題を解決するために、本発明の一態様に係る基地局装置は、通信装置から送信されるデータ信号を受信し当該データ信号を端末装置に対して送信することを行う第１の基地局装置と、端末管理装置から送信される制御信号を受信し当該制御信号を前記端末装置に対して送信することおよび前記通信装置から送信される前記データ信号を受信し当該データ信号を前記端末装置に対して送信することを行う第２の基地局装置と、を有する通信システムにおける前記第１の基地局装置であって、前記データ信号について通信品質に関する情報を前記通信装置または他の所定の装置に対して通知するように制御する通信品質通知制御部と、前記通信装置から送信されるデータ信号を受信し、当該データ信号を前記端末装置に対して送信するように制御するデータ通信制御部と、を備える。
【００１０】
（２）上記の課題を解決するために、本発明の一態様に係る基地局装置は、通信装置から送信されるデータ信号を受信し当該データ信号を端末装置に対して送信することを行う第１の基地局装置と、端末管理装置から送信される制御信号を受信し当該制御信号を前記端末装置に対して送信することおよび前記通信装置から送信される前記データ信号を受信し当該データ信号を前記端末装置に対して送信することを行う第２の基地局装置と、を有する通信システムにおける前記第２の基地局装置であって、前記データ信号について通信品質に関する情報を前記通信装置または他の所定の装置に対して通知するように制御する通信品質通知制御部と、前記通信装置から送信されるデータ信号を受信し、当該データ信号を前記端末装置に対して送信するように制御するデータ通信制御部と、前記端末管理装置から送信される制御信号を受信し、当該制御信号を前記端末装置に対して送信するように制御する制御信号通信制御部と、を備える。
【００１１】
（３）上記の課題を解決するために、本発明の一態様に係る基地局装置は、通信装置から送信されるデータ信号を受信し当該データ信号を端末装置に対して送信することを行う第１の基地局装置と、端末管理装置から送信される制御信号を受信し当該制御信号を前記端末装置に対して送信することおよび前記通信装置から送信される前記データ信号を受信し当該データ信号を前記端末装置に対して送信することを行う第２の基地局装置と、を有する通信システムにおける前記第１の基地局装置であって、前記データ信号について通信品質に関する情報を前記第２の基地局装置に対して通知するように制御する通信品質通知制御部と、前記通信装置から送信されるデータ信号を受信し、当該データ信号を前記端末装置に対して送信するように制御するデータ通信制御部と、を備える。
【００１２】
（４）上記の課題を解決するために、本発明の一態様に係る基地局装置は、通信装置から送信されるデータ信号を受信し当該データ信号を端末装置に対して送信することを行う第１の基地局装置と、端末管理装置から送信される制御信号を受信し当該制御信号を前記端末装置に対して送信することおよび前記通信装置から送信される前記データ信号を受信し当該データ信号を前記端末装置に対して送信することを行う第２の基地局装置と、を有する通信システムにおける前記第２の基地局装置であって、前記データ信号について、前記第１の基地局装置から送信される通信品質に関する情報を受信し、受信した通信品質に関する情報および自装置についての通信品質に関する情報を前記通信装置または他の所定の装置に対して通知するように制御する通信品質通知制御部と、前記通信装置から送信されるデータ信号を受信し、当該データ信号を前記端末装置に対して送信するように制御するデータ通信制御部と、前記端末管理装置から送信される制御信号を受信し、当該制御信号を前記端末装置に対して送信するように制御する制御信号通信制御部と、を備える。
【００１３】
（５）上記の課題を解決するために、本発明の一態様に係る通信制御装置は、通信装置から送信されるデータ信号を受信し当該データ信号を端末装置に対して送信することを行う第１の基地局装置と、端末管理装置から送信される制御信号を受信し当該制御信号を前記端末装置に対して送信することおよび前記通信装置から送信される前記データ信号を受信し当該データ信号を前記端末装置に対して送信することを行う第２の基地局装置と、を有する通信システムにおける前記通信装置または他の装置である通信制御装置であって、前記第１の基地局装置から送信される通信品質に関する情報を受信し、前記第２の基地局装置から送信される通信品質に関する情報を受信する通信品質収集制御部と、前記通信品質収集制御部により受信された情報に基づいて、前記データ信号を前記端末装置に対して送信するために経由させる基地局装置を選択し、選択した基地局装置を経由させて前記データ信号を前記端末装置に対して送信するデータ通信制御部と、を備える。
【００１４】
（６）上記の課題を解決するために、本発明の一態様に係る通信制御装置は、通信装置から送信されるデータ信号を受信し当該データ信号を端末装置に対して送信することを行う第１の基地局装置と、端末管理装置から送信される制御信号を受信し当該制御信号を前記端末装置に対して送信することおよび前記通信装置から送信される前記データ信号を受信し当該データ信号を前記端末装置に対して送信することを行う第２の基地局装置と、を有する通信システムにおける前記通信装置または他の装置である通信制御装置であって、前記第２の基地局装置から送信される前記第１の基地局装置についての通信品質に関する情報および前記第２の基地局装置についての通信品質に関する情報を受信する通信品質収集制御部と、前記通信品質収集制御部により受信された情報に基づいて、前記データ信号を前記端末装置に対して送信するために経由させる基地局装置を選択し、選択した基地局装置を経由させて前記データ信号を前記端末装置に対して送信するデータ通信制御部と、を備える。
【００１５】
（７）上記の課題を解決するために、本発明の一態様に係る通信システムは、第１の基地局装置は、データ信号について通信品質に関する情報を通信装置または他の所定の装置である通信制御装置に対して通知すること、および、前記通信装置から送信されるデータ信号を受信し当該データ信号を端末装置に対して送信すること、を行い、第２の基地局装置は、前記データ信号について通信品質に関する情報を前記通信制御装置に対して通知すること、前記通信装置から送信される前記データ信号を受信し当該データ信号を前記端末装置に対して送信すること、および、端末管理装置から送信される制御信号を受信し当該制御信号を前記端末装置に対して送信すること、を行い、前記通信制御装置は、前記第１の基地局装置から送信される通信品質に関する情報を受信すること、前記第２の基地局装置から送信される通信品質に関する情報を受信すること、および、受信された情報に基づいて、前記データ信号を前記端末装置に対して送信するために経由させる基地局装置を選択すること、を行う。
【００１６】
（８）上記の課題を解決するために、本発明の一態様に係る通信システムは、第１の基地局装置は、データ信号について通信品質に関する情報を第２の基地局装置に対して通知すること、および、通信装置から送信されるデータ信号を受信し当該データ信号を端末装置に対して送信すること、を行い、前記第２の基地局装置は、前記データ信号について、前記第１の基地局装置から送信される通信品質に関する情報を受信し、受信した通信品質に関する情報および自装置についての通信品質に関する情報を前記通信装置または他の所定の装置である通信制御装置に対して通知すること、前記通信装置から送信される前記データ信号を受信し当該データ信号を前記端末装置に対して送信すること、および、端末管理装置から送信される制御信号を受信し当該制御信号を前記端末装置に対して送信すること、を行い、前記通信制御装置は、前記第２の基地局装置から送信される通信品質に関する情報を受信すること、および、受信された情報に基づいて、前記データ信号を前記端末装置に対して送信するために経由させる基地局装置を選択すること、を行う。
【００１７】
（９）上記の課題を解決するために、本発明の一態様に係る通信方法は、第１の基地局装置は、データ信号について通信品質に関する情報を通信装置または他の所定の装置である通信制御装置に対して通知すること、および、前記通信装置から送信されるデータ信号を受信し当該データ信号を端末装置に対して送信すること、を行い、第２の基地局装置は、前記データ信号について通信品質に関する情報を前記通信制御装置に対して通知すること、前記通信装置から送信される前記データ信号を受信し当該データ信号を前記端末装置に対して送信すること、および、端末管理装置から送信される制御信号を受信し当該制御信号を前記端末装置に対して送信すること、を行い、前記通信制御装置は、前記第１の基地局装置から送信される通信品質に関する情報を受信すること、前記第２の基地局装置から送信される通信品質に関する情報を受信すること、および、受信された情報に基づいて、前記データ信号を前記端末装置に対して送信するために経由させる基地局装置を選択すること、を行う。
【００１８】
（１０）上記の課題を解決するために、本発明の一態様に係る通信方法は、第１の基地局装置は、データ信号について通信品質に関する情報を第２の基地局装置に対して通知すること、および、通信装置から送信されるデータ信号を受信し当該データ信号を端末装置に対して送信すること、を行い、前記第２の基地局装置は、前記データ信号について、前記第１の基地局装置から送信される通信品質に関する情報を受信し、受信した通信品質に関する情報および自装置についての通信品質に関する情報を前記通信装置または他の所定の装置である通信制御装置に対して通知すること、前記通信装置から送信される前記データ信号を受信し当該データ信号を前記端末装置に対して送信すること、および、端末管理装置から送信される制御信号を受信し当該制御信号を前記端末装置に対して送信すること、を行い、前記通信制御装置は、前記第２の基地局装置から送信される通信品質に関する情報を受信すること、および、受信された情報に基づいて、前記データ信号を前記端末装置に対して送信するために経由させる基地局装置を選択すること、を行う。
【発明の効果】
【００１９】
本発明によれば、Ｕ−Ｐｌａｎｅのデータの通信を品質良く行うことができる。
【図面の簡単な説明】
【００２０】
【図１】本発明の一実施形態に係るＳｅＮＢの概略的な構成を示すブロック図である。
【図２】本発明の一実施形態に係るＭｅＮＢの概略的な構成を示すブロック図である。
【図３】本発明の一実施形態に係るＳ−ＧＷの概略的な構成を示すブロック図である。
【図４】本発明の一実施形態（第１実施形態）に係る通信システムにおける通信品質に関する情報の通知の概略を示すブロック図である。
【図５】本発明の一実施形態（第１実施形態）に係る通信システムにおいて行われる処理の手順の一例を示すシーケンス図である。
【図６】本発明の一実施形態（第２実施形態）に係る通信システムにおける通信品質に関する情報の通知の概略を示すブロック図である。
【図７】本発明の一実施形態（第２実施形態）に係る通信システムにおいて行われる処理の手順の一例を示すシーケンス図である。
【図８】Ｓ−ＧＷによりＵ−Ｐｌａｎｅのデータを分離する場合におけるＵ−Ｐｌａｎｅのデータの通信の一例を示す図である。
【図９】Ｃ／Ｕ分離を用いたＭｅＮＢとＳｅＮＢの同時通信の一例を示す図である。
【発明を実施するための形態】
【００２１】
以下、図面を参照し、本発明の実施形態について説明する。
［デュアルコネクティビティ時におけるＵ−Ｐｌａｎｅのデータの通信の説明］
まず、図８および図９を参照して、デュアルコネクティビティ時におけるＵ−Ｐｌａｎｅのデータの通信について説明する。
図８は、Ｓ−ＧＷ２によりＵ−Ｐｌａｎｅのデータを分離する場合におけるＵ−Ｐｌａｎｅのデータの通信（１Ａ：Ｓ−ＧＷ  ｆｌｏｗ  ｓｐｌｉｔｔｉｎｇ）の一例を示す図である。
図８には、ＵＥ１と、ＳｅＮＢ１１およびその無線の通信領域１０１と、ＭｅＮＢ１２およびその無線の通信領域１０２と、Ｓ−ＧＷ２と、ＭＭＥ３と、インターネット（Ｉｎｔｅｒｎｅｔ）４を示してある。
【００２２】
Ｃ−Ｐｌａｎｅのデータについては、ＭＭＥ３がＭｅＮＢ１２にＣ−Ｐｌａｎｅのデータを送信し、ＭｅＮＢ１２が当該データをＵＥ１に送信する。
Ｕ−Ｐｌａｎｅのデータについては、Ｓ−ＧＷ２がインターネット４からのＵ−ＰｌａｎｅのデータのうちでＳｅＮＢ１１を経由させるデータを分離してＳｅＮＢ１１に送信し、ＳｅＮＢ１１が当該データをＵＥ１に送信する。また、Ｓ−ＧＷ２は、インターネット４からのＵ−Ｐｌａｎｅのデータのうちで残りのデータ（ＭｅＮＢ１２を経由させるデータ）をＭｅＮＢ１２に送信し、ＭｅＮＢ１２が当該データをＵＥ１に送信する。
【００２３】
このように、図８の例では、Ｓ−ＧＷ２において、Ｕ−Ｐｌａｎｅのデータについて、ＳｅＮＢ１１を経由させるトラヒックを分離し、Ｓ−ＧＷ２からＳｅＮＢ１１に直接送信する。これにより、Ｃ−ＰｌａｎｅのデータはＭｅＮＢ１２を介して送受信され、Ｕ−ＰｌａｎｅのデータはＭｅＮＢ１２とＳｅＮＢ１１とのいずれか一方、または、両方を介して送受信される。
【００２４】
なお、Ｓ−ＧＷ２からＳｅＮＢ１１を経由してＵＥ１にＵ−Ｐｌａｎｅのデータを送信する通信経路は、例えば、Ｓ−ＧＷ２からＭｅＮＢ１２を経由してＵＥ１にＵ−Ｐｌａｎｅのデータを送信する通信経路から切り替えられることで実現され、または、最初から新たに確立されることで実現される。
【００２５】
図９は、Ｃ／Ｕ分離を用いたＭｅＮＢ１２とＳｅＮＢ１１の同時通信（３Ｃ：ＭｅＮＢ  ｂｅａｒｅｒ  ｓｐｌｉｔｔｉｎｇ）の一例を示す図である。
図９には、図８と同様に、ＵＥ１と、ＳｅＮＢ１１およびその無線の通信領域１０１と、ＭｅＮＢ１２およびその無線の通信領域１０２と、Ｓ−ＧＷ２と、ＭＭＥ３と、インターネット４を示してある。なお、図９では、各装置等の符号としては、図８に示されるものと同じ符号を付してある。
【００２６】
Ｃ−Ｐｌａｎｅのデータについては、ＭＭＥ３がＭｅＮＢ１２にＣ−Ｐｌａｎｅのデータを送信し、ＭｅＮＢ１２が当該データをＵＥ１に送信する。
Ｕ−Ｐｌａｎｅのデータについては、インターネット４からのＵ−ＰｌａｎｅのデータをＳ−ＧＷ２がＭｅＮＢ１２に送信する。ＭｅＮＢ１２は受信したＵ−ＰｌａｎｅのデータのうちでＳｅＮＢ１１を経由させるデータを分離してＳｅＮＢ１１に送信し、ＳｅＮＢ１１が当該データをＵＥ１に送信する。また、ＭｅＮＢ１２は、受信したＵ−Ｐｌａｎｅのデータのうちで残りのデータ（ＵＥ１に直接送信するデータ）をＵＥ１に送信する。
【００２７】
このように、図９の例では、Ｕ−Ｐｌａｎｅのデータについて、Ｓ−ＧＷ２とＭｅＮＢ１２との間では１本のベアラ（Ｂｅａｒｅｒ）が存在し、ＭｅＮＢ１２において２本のベアラ（ＭｅＮＢ１２とＵＥ１との間の１本のベアラ、ＭｅＮＢ１２とＳｅＮＢ１１との間の１本のベアラ）に分けられる。
【００２８】
［第１実施形態］
以下では、各装置等の符号として、図８および図９に示されるものと同じ符号を付して説明する。
＜通信システムの概要＞
図１は、本発明の一実施形態に係るＳｅＮＢ１１の概略的な構成を示すブロック図である。
本実施形態に係るＳｅＮＢ１１は、通信部２１１と、記憶部２１２と、制御部２１３を備える。
制御部２１３は、通信品質通知制御部２３１と、データ通信制御部２３２を備える。
【００２９】
通信部２１１は、外部の装置との間で無線や有線で通信する。本実施形態では、通信部２１１は、通信領域１０１に存在するＵＥ１との間で、無線により信号を送受信（送信や受信）する。また、通信部２１１は、有線（または、無線）により、Ｓ−ＧＷ２との間や、ＭｅＮＢ１２との間で、信号を送受信する。例えば、ＳｅＮＢ１１とＭｅＮＢ１２との間は、有線の回線（バックホール回線）で接続される。
記憶部２１２は、メモリを用いて構成されており、各種のデータを記憶する。具体例として、記憶部２１２は、制御部２１３により使用されるプログラムのデータや、各種のパラメータのデータや、通信品質やデータ通信に関するデータなどを記憶する。
【００３０】
制御部２１３は、所定のプログラムを実行することで、各種の処理や制御を行う。
通信品質通知制御部２３１は、Ｕ−Ｐｌａｎｅのデータの通信品質の通知に関する制御を行う。本実施形態では、通信品質通知制御部２３１は、Ｕ−Ｐｌａｎｅのデータの通信品質に関する情報を、直接、Ｓ−ＧＷ２に送信するように制御する。
データ通信制御部２３２は、Ｕ−Ｐｌａｎｅのデータの通信を制御する。
【００３１】
図２は、本発明の一実施形態に係るＭｅＮＢ１２の概略的な構成を示すブロック図である。
本実施形態に係るＭｅＮＢ１２は、通信部３１１と、記憶部３１２と、制御部３１３を備える。
制御部３１３は、通信品質通知制御部３３１と、データ通信制御部３３２と、制御信号通信制御部３３３を備える。
【００３２】
通信部３１１は、外部の装置との間で無線や有線で通信する。本実施形態では、通信部３１１は、通信領域１０２に存在するＵＥ１との間で、無線により信号を送受信（送信や受信）する。また、通信部３１１は、有線（または、無線）により、Ｓ−ＧＷ２との間や、ＳｅＮＢ１１との間で、信号を送受信する。
記憶部３１２は、メモリを用いて構成されており、各種のデータを記憶する。具体例として、記憶部３１２は、制御部３１３により使用されるプログラムのデータや、各種のパラメータのデータや、通信品質やデータ通信に関するデータなどを記憶する。
【００３３】
制御部３１３は、所定のプログラムを実行することで、各種の処理や制御を行う。
通信品質通知制御部３３１は、Ｕ−Ｐｌａｎｅのデータの通信品質の通知に関する制御を行う。本実施形態では、通信品質通知制御部３３１は、Ｕ−Ｐｌａｎｅのデータの通信品質に関する情報を、直接、Ｓ−ＧＷ２に送信するように制御する。
データ通信制御部３３２は、Ｕ−Ｐｌａｎｅのデータの通信を制御する。
制御信号通信制御部３３３は、Ｃ−Ｐｌａｎｅのデータの通信を制御する。
【００３４】
図３は、本発明の一実施形態に係るＳ−ＧＷ２の概略的な構成を示すブロック図である。
本実施形態に係るＳ−ＧＷ２は、通信部４１１と、記憶部４１２と、制御部４１３を備える。
制御部４１３は、通信品質収集制御部４３１と、データ通信制御部４３２を備える。
【００３５】
通信部４１１は、外部の装置との間で無線や有線で通信する。本実施形態では、通信部４１１は、有線（または、無線）により、ＳｅＮＢ１１との間や、ＭｅＮＢ１２との間で、信号を送受信する。
記憶部４１２は、メモリを用いて構成されており、各種のデータを記憶する。具体例として、記憶部４１２は、制御部４１３により使用されるプログラムのデータや、各種のパラメータのデータや、通信品質やデータ通信に関するデータなどを記憶する。
【００３６】
制御部４１３は、所定のプログラムを実行することで、各種の処理や制御を行う。
通信品質収集制御部４３１は、Ｕ−Ｐｌａｎｅのデータの通信品質の収集に関する制御を行う。本実施形態では、通信品質収集制御部４３１は、Ｕ−Ｐｌａｎｅのデータの通信品質に関する情報をそれぞれのｅＮＢ（本実施形態では、ＳｅＮＢ１１、ＭｅＮＢ１２）から受信するように制御する。
データ通信制御部４３２は、Ｕ−Ｐｌａｎｅのデータの通信を制御する。
【００３７】
図４は、本発明の一実施形態（第１実施形態）に係る通信システムにおける通信品質に関する情報の通知の概略を示すブロック図である。
図４には、ＵＥ１と、ＳｅＮＢ１１−１およびその無線の通信領域１０１−１と、ＳｅＮＢ１１−２およびその無線の通信領域１０１−２と、ＭｅＮＢ１２およびその無線の通信領域１０２と、Ｓ−ＧＷ２と、ＭＭＥ３と、インターネット４を示してある。
【００３８】
ここで、図４の例では、２個のＳｅＮＢ１１−１〜１１−２を示してある。ＳｅＮＢ１１−１の通信領域１０１−１はＭｅＮＢ１２の通信領域１０２に含まれており、ＳｅＮＢ１１−２の通信領域１０１−２はＭｅＮＢ１２の通信領域１０２と一部重複している。また、ＳｅＮＢ１１−１の通信領域１０１−１とＳｅＮＢ１１−２の通信領域１０１−２は一部重複している。
また、２個のＳｅＮＢ１１−１〜１１−２は、それぞれ、図１に示されるＳｅＮＢ１１と同様な機能部を有している。本実施形態では、２個のＳｅＮＢ１１−１〜１１−２の各機能部について、図１に示されるものと同じ符号を用いて説明する。
なお、他の構成例として、１個のＭｅＮＢに対して、３個以上のＳｅＮＢが設けられる構成が用いられてもよい。
本実施形態では、ＵＥ１は、すべてのｅＮＢ（ＳｅＮＢ１１−１、ＳｅＮＢ１１−２、ＭｅＮＢ１２）の通信領域１０１−１、１０１−２、１０２の重複部に存在するとする。
【００３９】
Ｃ−Ｐｌａｎｅのデータについては、ＭＭＥ３がＭｅＮＢ１２にＣ−Ｐｌａｎｅのデータを送信し、ＭｅＮＢ１２が制御信号通信制御部３３３により当該データをＵＥ１に送信する。
Ｕ−Ｐｌａｎｅのデータについては、Ｓ−ＧＷ２が、各ｅＮＢ（ＳｅＮＢ１１−１、ＳｅＮＢ１１−２、ＭｅＮＢ１２）について収集した通信品質に関する情報に基づいて、インターネット４からのＵ−Ｐｌａｎｅのデータを、１個以上のｅＮＢを経由させてＵＥ１に送信する。
【００４０】
＜Ｕ−Ｐｌａｎｅのデータの通信の説明＞
各ＳｅＮＢ１１−１〜１１−２では、通信品質通知制御部２３１は、Ｕ−Ｐｌａｎｅのデータの通信について、通信品質に関する情報を検出して、記憶部２１２に記憶する。そして、各ＳｅＮＢ１１−１〜１１−２では、通信品質通知制御部２３１は、記憶部２１２に記憶された通信品質に関する情報をＳ−ＧＷ２に対して送信する。
ＭｅＮＢ１２では、通信品質通知制御部３３１は、Ｕ−Ｐｌａｎｅのデータの通信について、通信品質に関する情報を検出して、記憶部３１２に記憶する。そして、ＭｅＮＢ１２では、通信品質通知制御部３３１は、記憶部３１２に記憶された通信品質に関する情報をＳ−ＧＷ２に対して送信する。
【００４１】
Ｓ−ＧＷ２では、通信品質収集制御部４３１は、Ｕ−Ｐｌａｎｅのデータの通信について、各ｅＮＢ（ＳｅＮＢ１１−１、ＳｅＮＢ１１−２、ＭｅＮＢ１２）から送信される通信品質に関する情報を受信して、記憶部４１２に記憶することで、当該情報を収集する。そして、Ｓ−ＧＷ２では、データ通信制御部４３２は、記憶部４１２に記憶された各ｅＮＢ（ＳｅＮＢ１１−１、ＳｅＮＢ１１−２、ＭｅＮＢ１２）についての通信品質に関する情報に基づいて、Ｕ−Ｐｌａｎｅのデータを経由させる１個または２個以上のｅＮＢ（ＳｅＮＢ１１−１、ＳｅＮＢ１１−２、ＭｅＮＢ１２）を選択して決定する。Ｕ−Ｐｌａｎｅのデータを経由させるｅＮＢが決定されることで、その通信経路が決定される。
【００４２】
Ｓ−ＧＷ２では、データ通信制御部４３２は、Ｕ−Ｐｌａｎｅのデータを、決定したｅＮＢ（ＳｅＮＢ１１−１、ＳｅＮＢ１１−２、ＭｅＮＢ１２）に送信することで、当該ｅＮＢを経由させて、ＵＥ１に送信する。Ｓ−ＧＷ２では、データ通信制御部４３２は、２個以上のｅＮＢを決定した場合には、Ｕ−Ｐｌａｎｅのデータを決定した２個以上のｅＮＢに分配して送信する。
各ＳｅＮＢ１１−１では、データ通信制御部２３２は、Ｓ−ＧＷ２から自装置に送信されたＵ−Ｐｌａｎｅのデータを受信して、当該データを自装置の通信領域１０１−１〜１０１−２に存在するＵＥ１に無線により送信する。
ＭｅＮＢ１２では、データ通信制御部３３２は、Ｓ−ＧＷ２から自装置に送信されたＵ−Ｐｌａｎｅのデータを受信して、当該データを自装置の通信領域１０２に存在するＵＥ１に無線により送信する。
【００４３】
ここで、通信品質に関する情報としては、様々な情報が用いられてもよい。また、通信品質に関する情報としては、１種類の情報が用いられてもよく、または、２種類以上の異なる情報が用いられてもよい。
通信品質に関する情報としては、通信品質自体の情報や、それに関連する情報（例えば、通信品質を算出または推定するための元となる情報など）が用いられる。
【００４４】
例えば、通信品質に関する情報として、各ｅＮＢ（ＳｅＮＢ１１−１、ＳｅＮＢ１１−２、ＭｅＮＢ１２）とＵＥ１との間における無線通信のリンクについて、帯域（例えば、バンド幅）に関する情報や、遅延に関する情報や、ジッタに関する情報などのうちの１つ以上が用いられてもよい。このような各ｅＮＢについての情報は、例えば、当該各ｅＮＢが記憶または検出してＳ−ＧＷ２に送信し、または、ＵＥ１が記憶または検出して当該各ｅＮＢに送信し、当該各ｅＮＢがＳ−ＧＷ２に送信する。
帯域に関する情報としては、帯域自体の情報や、それに関連する情報が用いられる。遅延に関する情報としては、遅延自体の情報や、それに関連する情報が用いられる。ジッタに関する情報としては、ジッタ自体の情報や、それに関連する情報が用いられる。
【００４５】
例えば、通信品質に関する情報として、各ｅＮＢ（ＳｅＮＢ１１−１、ＳｅＮＢ１１−２、ＭｅＮＢ１２）における負荷（基地局負荷）に関する情報が用いられてもよい。各ｅＮＢにおける負荷の情報としては、例えば、接続ユーザ数（本実施形態では、接続しているＵＥ１の数）に関する情報や、リソースの使用率（基地局のリソースの使用率）に関する情報などのうちの１つ以上が用いられてもよい。このような各ｅＮＢについての情報は、例えば、当該各ｅＮＢが記憶または検出してＳ−ＧＷ２に送信する。
負荷に関する情報としては、負荷自体の情報や、それに関連する情報が用いられる。例えば、接続ユーザ数に関する情報としては、接続ユーザ数の情報や、それに関連する情報が用いられる。リソースの使用率に関する情報としては、リソースの使用率の情報や、それに関連する情報が用いられる。
【００４６】
例えば、通信品質に関する情報として、各ｅＮＢ（ＳｅＮＢ１１−１、ＳｅＮＢ１１−２、ＭｅＮＢ１２）とＳ−ＧＷ２との間における通信のリンクについて、帯域（例えば、バンド幅）に関する情報や、遅延に関する情報や、ジッタに関する情報などのうちの１つ以上が用いられてもよい。この通信は、例えば、各ｅＮＢ（ＳｅＮＢ１１−１、ＳｅＮＢ１１−２、ＭｅＮＢ１２）とＳ−ＧＷ２との間を接続するバックホール（ｂａｃｋｈａｕｌ）回線を用いて行われる。バックホール回線としては、例えば、光信号あるいは電気信号を通信する有線の回線、または、無線の回線が用いられる。
各ｅＮＢ（ＳｅＮＢ１１−１、ＳｅＮＢ１１−２、ＭｅＮＢ１２）とＳ−ＧＷ２との間を接続するバックホール回線の帯域（例えば、帯域の幅など）に関する情報は、一構成例として、当該各ｅＮＢが記憶していてＳ−ＧＷ２に通知するが、他の構成例として、Ｓ−ＧＷ２が記憶していてもよい。
各ｅＮＢ（ＳｅＮＢ１１−１、ＳｅＮＢ１１−２、ＭｅＮＢ１２）とＳ−ＧＷ２との間を接続するバックホール回線の遅延やジッタに関する情報は、例えば、当該各ｅＮＢからバックホール回線を介してＳ−ＧＷ２に計測用のパケットのデータを送信してＳ−ＧＷ２において検出すること、または、Ｓ−ＧＷ２からバックホール回線を介して当該各ｅＮＢに計測用のパケットのデータを送信して当該各ｅＮＢにおいて検出すること、が行われる。
【００４７】
例えば、通信品質に関する情報として、Ｓ−ＧＷ２とＵＥ１とがｅＮＢ（ＳｅＮＢ１１−１、ＳｅＮＢ１１−２、ＭｅＮＢ１２）を介して通信する場合におけるＳ−ＧＷ２とＵＥ１との間の通信経路の通信品質に関する情報が用いられてもよい。この場合、通信品質に関する情報としては、例えば、Ｓ−ＧＷ２とＵＥ１との間の通信経路の全体的な通信品質に関する情報が用いられてもよく、または、Ｓ−ＧＷ２とＵＥ１との間の通信経路のうちの一部の回線（例えば、ＵＥ１とｅＮＢとの間の無線リンクの回線、または、ｅＮＢとＳ−ＧＷ２との間の回線）ごとの通信品質に関する情報が用いられてもよい。
【００４８】
また、各ｅＮＢ（ＳｅＮＢ１１−１、ＳｅＮＢ１１−２、ＭｅＮＢ１２）からＳ−ＧＷ２に通信品質に関する情報を送信して通知するタイミングとしては、様々なタイミングが用いられてもよく、例えば、定期的なタイミングが用いられてもよく、または、不定期的なタイミングが用いられてもよい。また、各ｅＮＢ（ＳｅＮＢ１１−１、ＳｅＮＢ１１−２、ＭｅＮＢ１２）からＳ−ＧＷ２に通信品質に関する情報を送信して通知するタイミングとしては、例えば、それぞれのｅＮＢごとに異なるタイミングが用いられてもよく、または、すべてのｅＮＢについて共通のタイミングが用いられてもよい。
【００４９】
例えば、無線リンクの帯域幅に関する情報や、バックホール回線の帯域幅に関する情報などのように、不変（例えば、システムの設計変更等がなければ不変）であるパラメータについては、定常的に情報が通知される必要はなく、各ｅＮＢからＳ−ＧＷ２に対して、初期の接続時などに一度通知すればよい。なお、このような情報が、例えば、定常的に通知されてもよい。
例えば、負荷に関する情報や、遅延に関する情報や、ジッタに関する情報は、時間の経過に伴って変化し得るため、各ｅＮＢからＳ−ＧＷ２に対して、定常的に通知する。他の構成例として、このような情報は、各ｅＮＢからＳ−ＧＷ２に対して、Ｓ−ＧＷ２から当該各ｅＮＢに要求があった場合に当該要求に応じて通知してもよく、または、前記した定常的な通知と前記した要求に応じた通知の両方が行われてもよい。
なお、ｅＮＢが存在しても、デュアルコネクティビティが設定されてなく、当該ｅＮＢがＳｅＮＢにもＭｅＮＢにも設定（ｃｏｎｆｉｇｕｒａｔｉｏｎ）されていない状況では、当該ｅＮＢは、通信品質に関する情報をＳ−ＧＷ２に通知してもよく、または、通知しなくてもよい。
【００５０】
また、Ｓ−ＧＷ２が各ｅＮＢについての通信品質に関する情報に基づいて通信経路に使用するｅＮＢ（ＳｅＮＢ１１−１、ＳｅＮＢ１１−２、ＭｅＮＢ１２）を選択する手法としては、様々な手法が用いられてもよい。
また、Ｓ−ＧＷ２が通信経路に使用するｅＮＢとして選択するｅＮＢの数としては、様々な数であってもよい。例えば、Ｓ−ＧＷ２は、通信経路に使用するｅＮＢとして、１個のｅＮＢを選択する構成が用いられてもよく、または、２個以上の所定の数のｅＮＢを選択する構成が用いられてもよく、または、通信品質が所定の条件を満たすｅＮＢのすべてを選択する構成が用いられてもよい。
【００５１】
例えば、Ｓ−ＧＷ２は、通信対象となるＵ−ＰｌａｎｅのデータについてＧＢＲ（Ｇｕａｒａｎｔｅｅｄ  Ｂｉｔ  Ｒａｔｅ）のトラヒックであることが指定されている場合には、これにより要求されている条件を満たす通信経路が実現される１個のｅＮＢ（他の構成例として、２個以上のｅＮＢでもよい。）を選択する。Ｓ−ＧＷ２は、１個のｅＮＢを選択する場合には、例えば、複数のｅＮＢのうちで、あらかじめ定められた通信品質が最も良好である１個のｅＮＢを選択すること、または、あらかじめ定められた通信品質が所定の条件を満たして良好である２個以上のｅＮＢのうちの任意の１個のｅＮＢを選択すること、を行う。
例えば、Ｓ−ＧＷ２は、通信対象となるＵ−ＰｌａｎｅのデータについてＮｏｎ−ＧＢＲのトラヒックであることが指定されている場合には、基地局負荷が最も低い（つまり、基地局負荷の通信品質が最も良好である）通信経路が実現される１個のｅＮＢを選択する。
なお、ＱｏＳの一例として、スループットに関するＧＢＲ（およびＮｏｎ−ＧＢＲ）の要求を示したが、ＱｏＳの他の要求が用いられてもよい。ＱｏＳの他の要求としては、例えば、遅延に関する要求などがある。
【００５２】
また、Ｓ−ＧＷ２が各ｅＮＢについての通信品質に関する情報に基づいて通信経路に使用するｅＮＢ（ＳｅＮＢ１１−１、ＳｅＮＢ１１−２、ＭｅＮＢ１２）を選択するタイミングとしては、様々なタイミングが用いられてもよく、例えば、定期的なタイミングが用いられてもよく、または、不定期的なタイミングが用いられてもよい。
このようなタイミングとしては、例えば、初期のタイミング、あらかじめ定められた定期的なタイミング、各ｅＮＢについての通信品質があらかじめ定められた条件（例えば、閾値など）を満たす程度に変化したことをＳ−ＧＷ２が検出（判定）したときのタイミング、通信対象となるＵ−Ｐｌａｎｅのデータに指定されたＱｏＳの要求の内容が変化したことをＳ−ＧＷ２が検出（判定）したときのタイミング、Ｓ−ＧＷ２の上位の装置からＳ−ＧＷ２に対して要求があったときのタイミングなどのうちの１つ以上のタイミングが用いられてもよい。
【００５３】
また、Ｓ−ＧＷ２がＵ−Ｐｌａｎｅのデータを複数の通信経路（複数のｅＮＢを経由する通信経路）に分配する手法としては、様々な手法が用いられてもよい。
例えば、Ｓ−ＧＷ２は、通信対象となるＵ−ＰｌａｎｅのデータにＱｏＳの異なる２種類以上のデータが含まれる場合には、それぞれのＱｏＳの種類ごとに通信経路を選択して決定してもよい。
【００５４】
＜処理のシーケンスの例＞
図５は、本発明の一実施形態（第１実施形態）に係る通信システムにおいて行われる処理の手順の一例を示すシーケンス図である。
図５は、ＳｅＮＢ１１−１（図５の例で、第１ＳｅＮＢと呼ぶ。）と、ＳｅＮＢ１１−２（図５の例で、第２ＳｅＮＢと呼ぶ。）と、ＭｅＮＢ１２と、Ｓ−ＧＷ２について、Ｕ−Ｐｌａｎｅのデータに関して、行われる制御の手続きの例（処理Ｔ１）〜（処理Ｔ４）を示してある。（処理Ｔ１）〜（処理Ｔ４）は、図５に示される（Ｔ１）〜（Ｔ４）に対応している。
なお、図５の例は、説明を簡易化するための概要であり、各処理のタイミングなどとしては、様々な態様が用いられてもよい。
【００５５】
（処理Ｔ１）
ＳｅＮＢ１１−１（第１ＳｅＮＢ）では、通信品質通知制御部２３１が、当該ＳｅＮＢ１１−１によるＵ−Ｐｌａｎｅのデータの通信について、あらかじめ定められた通信品質に関する情報をＳ−ＧＷ２に対して送信する。
【００５６】
（処理Ｔ２）
ＳｅＮＢ１１−２（第２ＳｅＮＢ）では、通信品質通知制御部２３１が、当該ＳｅＮＢ１１−２によるＵ−Ｐｌａｎｅのデータの通信について、あらかじめ定められた通信品質に関する情報をＳ−ＧＷ２に対して送信する。
【００５７】
（処理Ｔ３）
ＭｅＮＢ１２では、通信品質通知制御部３３１が、当該ＭｅＮＢ１２によるＵ−Ｐｌａｎｅのデータの通信について、あらかじめ定められた通信品質に関する情報をＳ−ＧＷ２に対して送信する。
【００５８】
（処理Ｔ４）
Ｓ−ＧＷ２では、通信品質収集制御部４３１が、各ｅＮＢ（ＳｅＮＢ１１−１、ＳｅＮＢ１１−２、ＭｅＮＢ１２）から送信された通信品質に関する情報を受信して、記憶部４１２に記憶させる。
そして、Ｓ−ＧＷ２では、データ通信制御部４３２が、記憶部４１２に記憶された通信品質に関する情報に基づいて、Ｕ−Ｐｌａｎｅのデータを送信するために使用するｅＮＢ（当該ｅＮＢを経由する通信経路）を選択して決定する。
以上の（処理Ｔ１）〜（処理Ｔ４）により、Ｓ−ＧＷ２は、選択したｅＮＢを経由してＵＥ１にＵ−Ｐｌａｎｅのデータを送信する通信経路を使用して、Ｕ−Ｐｌａｎｅのデータを送信する。
【００５９】
＜第１実施形態のまとめ＞
以上のように、本実施形態に係る通信システムでは、ＵＥ１が複数のｅＮＢ（本実施形態では、ＭｅＮＢとＳｅＮＢ）に同時に接続して通信することが可能な無線通信システムにおいて、各ｅＮＢを経由する通信経路の通信品質に関する情報を各ｅＮＢからＳ−ＧＷ２に通知することで、インターネット４と接続するＳ−ＧＷ２は、収集した通信品質に関する情報を参照して、通信品質に応じた通信経路を選択することが可能となり、各ユーザトラヒックのデータ（本実施形態では、Ｕ−Ｐｌａｎｅのデータ）の通信経路として使用する通信経路をｅＮＢ間で切り替えることができる。
本実施形態に係る通信システムでは、各ｅＮＢが、直接、Ｓ−ＧＷ２に対して、自装置についての通信品質に関する情報を通知するためのインタフェースの機能を有することで、各ｅＮＢを経由する通信経路についての通信品質に関する情報をＳ−ＧＷ２が収集する。これにより、Ｓ−ＧＷ２は、収集した通信品質に関する情報に基づいて、Ｕ−Ｐｌａｎｅのデータを適切な通信経路に振り分けることが可能である。
【００６０】
したがって、本実施形態に係る通信システムでは、Ｕ−Ｐｌａｎｅのデータの通信について、通信効率を向上させることができ、特に、システムのスループットを向上させることができ、これにより、ＱｏＳ保証の実現性を高めることができる。このように、本実施形態に係る通信システムでは、制御信号（本実施形態では、Ｃ−Ｐｌａｎｅのデータの信号）の通信を行いつつ、データ信号（本実施形態では、Ｕ−Ｐｌａｎｅのデータの信号）の通信を品質良く行うことができる。
【００６１】
ここで、本実施形態に係る通信システムは、例えば、図８に示されるようなデュアルコネクティビティにおけるＵ−Ｐｌａｎｅのデータの通信（１Ａ：Ｓ−ＧＷ  ｆｌｏｗ  ｓｐｌｉｔｔｉｎｇ）のセットアップ時に適用して、動的な通信経路の制御を実現することができる。なお、本実施形態に係る通信システムは、他の状況（前記した１Ａ以外の状況）に適用されてもよい。
また、本実施形態に係る通信システムでは、各ｅＮＢについての通信品質に関する情報をＳ−ＧＷ２により収集して通信経路（経由させるｅＮＢ）を選択する構成が示されたが、他の構成例として、通信品質に関する情報を収集する機能や、通信経路（経由させるｅＮＢ）を選択する機能が、それぞれ、Ｓ−ＧＷ２以外の任意のノードに備えられてもよい。Ｓ−ＧＷ２以外の任意のノードとしては、例えば、Ｓ−ＧＷ２に付随して設けられた所定の装置（例えば、制御装置など）や、Ｓ−ＧＷ２とは独立に設けられた所定の装置がある。
【００６２】
［第２実施形態］
以下では、各装置等の符号として、図１〜図３、図８および図９に示されるものと同じ符号を付して説明する。
以下では、第１実施形態とは異なる点について詳しく説明し、第１実施形態と同様な点については説明を省略ないし簡略化する。
【００６３】
＜通信システムの概要＞
本発明の一実施形態に係るＳｅＮＢ１１の概略的な構成は、第１実施形態に係る図１に示されるものと同様であるが、制御部２１３の通信品質通知制御部２３１の機能が第１実施形態とは異なる。
通信品質通知制御部２３１は、Ｕ−Ｐｌａｎｅのデータの通信品質の通知に関する制御を行う。
本実施形態では、通信品質通知制御部２３１は、Ｕ−Ｐｌａｎｅのデータの通信品質に関する情報をＭｅＮＢ１２に送信するように制御し、これにより、当該情報をＭｅＮＢ１２を介してＳ−ＧＷ２に通知する。
【００６４】
本発明の一実施形態に係るＭｅＮＢ１２の概略的な構成は、第１実施形態に係る図２に示されるものと同様であるが、制御部３１３の通信品質通知制御部３３１の機能が第１実施形態とは異なる。
通信品質通知制御部３３１は、Ｕ−Ｐｌａｎｅのデータの通信品質の通知に関する制御を行う。
本実施形態では、通信品質通知制御部３３１は、自装置（ＭｅＮＢ１２）について、Ｕ−Ｐｌａｎｅのデータの通信品質に関する情報を、直接、Ｓ−ＧＷ２に送信するように制御する。また、通信品質通知制御部３３１は、他の装置（ＳｅＮＢ１１）について、Ｕ−Ｐｌａｎｅのデータの通信品質に関する情報を受信して、当該情報をＳ−ＧＷ２に送信するように制御する。例えば、通信品質通知制御部３３１は、複数の他の装置についての情報をまとめてＳ−ＧＷ２に送信するように制御してもよく、または、自装置についての情報および他の装置（１または複数の他の装置）についての情報をまとめてＳ−ＧＷ２に送信するように制御してもよい。
【００６５】
本発明の一実施形態に係るＳ−ＧＷ２の概略的な構成は、第１実施形態に係る図３に示されるものと同様であるが、制御部４１３の通信品質収集制御部４３１の機能が第１実施形態とは異なる。
通信品質収集制御部４３１は、Ｕ−Ｐｌａｎｅのデータの通信品質の収集に関する制御を行う。
本実施形態では、通信品質収集制御部４３１は、それぞれのｅＮＢ（本実施形態では、ＳｅＮＢ１１、ＭｅＮＢ１２）について、Ｕ−Ｐｌａｎｅのデータの通信品質に関する情報をＭｅＮＢ１２から受信するように制御する。
【００６６】
図６は、本発明の一実施形態（第２実施形態）に係る通信システムにおける通信品質に関する情報の通知の概略を示すブロック図である。
図６には、ＵＥ１と、ＳｅＮＢ１１−１およびその無線の通信領域１０１−１と、ＳｅＮＢ１１−２およびその無線の通信領域１０１−２と、ＭｅＮＢ１２およびその無線の通信領域１０２と、Ｓ−ＧＷ２と、ＭＭＥ３と、インターネット４を示してある。
【００６７】
ここで、図６の例では、２個のＳｅＮＢ１１−１〜１１−２を示してある。ＳｅＮＢ１１−１の通信領域１０１−１はＭｅＮＢ１２の通信領域１０２に含まれており、ＳｅＮＢ１１−２の通信領域１０１−２はＭｅＮＢ１２の通信領域１０２と一部重複している。また、ＳｅＮＢ１１−１の通信領域１０１−１とＳｅＮＢ１１−２の通信領域１０１−２は一部重複している。
また、２個のＳｅＮＢ１１−１〜１１−２は、それぞれ、図１に示されるＳｅＮＢ１１と同様な機能部（本実施形態に係る機能を有するもの）を有している。本実施形態では、２個のＳｅＮＢ１１−１〜１１−２の各機能部について、図１に示されるものと同じ符号を用いて説明する。
なお、他の構成例として、１個のＭｅＮＢに対して、３個以上のＳｅＮＢが設けられる構成が用いられてもよい。
本実施形態では、ＵＥ１は、すべてのｅＮＢ（ＳｅＮＢ１１−１、ＳｅＮＢ１１−２、ＭｅＮＢ１２）の通信領域１０１−１、１０１−２、１０２の重複部に存在するとする。
【００６８】
Ｃ−Ｐｌａｎｅのデータについては、ＭＭＥ３がＭｅＮＢ１２にＣ−Ｐｌａｎｅのデータを送信し、ＭｅＮＢ１２が制御信号通信制御部３３３により当該データをＵＥ１に送信する。
Ｕ−Ｐｌａｎｅのデータについては、Ｓ−ＧＷ２が、各ｅＮＢ（ＳｅＮＢ１１−１、ＳｅＮＢ１１−２、ＭｅＮＢ１２）について収集した通信品質に関する情報に基づいて、インターネット４からのＵ−Ｐｌａｎｅのデータを、１個以上のｅＮＢを経由させてＵＥ１に送信する。
【００６９】
＜Ｕ−Ｐｌａｎｅのデータの通信の説明＞
各ＳｅＮＢ１１−１〜１１−２では、通信品質通知制御部２３１は、Ｕ−Ｐｌａｎｅのデータの通信について、通信品質に関する情報を検出して、記憶部２１２に記憶する。そして、各ＳｅＮＢ１１−１〜１１−２では、通信品質通知制御部２３１は、記憶部２１２に記憶された通信品質に関する情報をＭｅＮＢ１２に対して送信する。
ＭｅＮＢ１２では、通信品質通知制御部３３１は、自装置について、Ｕ−Ｐｌａｎｅのデータの通信について、通信品質に関する情報を検出して、記憶部３１２に記憶する。また、ＭｅＮＢ１２では、通信品質通知制御部３３１は、他の装置（ＳｅＮＢ１１−１〜１１−２）について、Ｕ−Ｐｌａｎｅのデータの通信について、通信品質に関する情報を受信して、記憶部３１２に記憶する。そして、ＭｅＮＢ１２では、通信品質通知制御部３３１は、記憶部３１２に記憶された自装置および他の装置についての通信品質に関する情報をＳ−ＧＷ２に対して送信する。
【００７０】
Ｓ−ＧＷ２では、通信品質収集制御部４３１は、Ｕ−Ｐｌａｎｅのデータの通信について、ＭｅＮＢ１２から送信される通信品質に関する情報を受信して、記憶部４１２に記憶することで、各ｅＮＢ（ＳｅＮＢ１１−１、ＳｅＮＢ１１−２、ＭｅＮＢ１２）について、当該情報を収集する。そして、Ｓ−ＧＷ２では、データ通信制御部４３２は、記憶部４１２に記憶された各ｅＮＢ（ＳｅＮＢ１１−１、ＳｅＮＢ１１−２、ＭｅＮＢ１２）についての通信品質に関する情報に基づいて、Ｕ−Ｐｌａｎｅのデータを経由させる１個または２個以上のｅＮＢ（ＳｅＮＢ１１−１、ＳｅＮＢ１１−２、ＭｅＮＢ１２）を選択して決定する。Ｕ−Ｐｌａｎｅのデータを経由させるｅＮＢが決定されることで、その通信経路が決定される。
【００７１】
Ｓ−ＧＷ２では、データ通信制御部４３２は、Ｕ−Ｐｌａｎｅのデータを、決定したｅＮＢ（ＳｅＮＢ１１−１、ＳｅＮＢ１１−２、ＭｅＮＢ１２）に送信することで、当該ｅＮＢを経由させて、ＵＥ１に送信する。Ｓ−ＧＷ２では、データ通信制御部４３２は、２個以上のｅＮＢを決定した場合には、Ｕ−Ｐｌａｎｅのデータを決定した２個以上のｅＮＢに分配して送信する。
各ＳｅＮＢ１１−１では、データ通信制御部２３２は、Ｓ−ＧＷ２から自装置に送信されたＵ−Ｐｌａｎｅのデータを受信して、当該データを自装置の通信領域１０１−１〜１０１−２に存在するＵＥ１に無線により送信する。
ＭｅＮＢ１２では、データ通信制御部３３２は、Ｓ−ＧＷ２から自装置に送信されたＵ−Ｐｌａｎｅのデータを受信して、当該データを自装置の通信領域１０２に存在するＵＥ１に無線により送信する。
【００７２】
ここで、第１実施形態と同様に、通信品質に関する情報や、ＭｅＮＢ１２からＳ−ＧＷ２に通信品質に関する情報を送信して通知するタイミングや、Ｓ−ＧＷ２が各ｅＮＢについての通信品質に関する情報に基づいて通信経路に使用するｅＮＢ（ＳｅＮＢ１１−１、ＳｅＮＢ１１−２、ＭｅＮＢ１２）を選択する手法や、Ｓ−ＧＷ２が各ｅＮＢについての通信品質に関する情報に基づいて通信経路に使用するｅＮＢ（ＳｅＮＢ１１−１、ＳｅＮＢ１１−２、ＭｅＮＢ１２）を選択するタイミングや、Ｓ−ＧＷ２がＵ−Ｐｌａｎｅのデータを複数の通信経路（複数のｅＮＢを経由する通信経路）に分配する手法などとしては、様々な態様が用いられてもよい。同様に、各ＳｅＮＢ１１−１〜１１−２からＭｅＮＢ１２に通信品質に関する情報を送信して通知するタイミングとしては、様々なタイミングが用いられてもよい。
【００７３】
なお、第１実施形態の場合と同様に、ｅＮＢが存在しても、デュアルコネクティビティが設定されてなく、当該ｅＮＢがＳｅＮＢにもＭｅＮＢにも設定（ｃｏｎｆｉｇｕｒａｔｉｏｎ）されていない状況では、当該ｅＮＢは、通信品質に関する情報を通知してもよく、または、通知しなくてもよい。
【００７４】
＜処理のシーケンスの例＞
図７は、本発明の一実施形態（第２実施形態）に係る通信システムにおいて行われる処理の手順の一例を示すシーケンス図である。
図７は、ＳｅＮＢ１１−１（図７の例で、第１ＳｅＮＢと呼ぶ。）と、ＳｅＮＢ１１−２（図７の例で、第２ＳｅＮＢと呼ぶ。）と、ＭｅＮＢ１２と、Ｓ−ＧＷ２について、Ｕ−Ｐｌａｎｅのデータに関して、行われる制御の手続きの例（処理Ｔ１１）〜（処理Ｔ１４）を示してある。（処理Ｔ１１）〜（処理Ｔ１４）は、図７に示される（Ｔ１１）〜（Ｔ１４）に対応している。
なお、図７の例は、説明を簡易化するための概要であり、各処理のタイミングなどとしては、様々な態様が用いられてもよい。
【００７５】
（処理Ｔ１１）
ＳｅＮＢ１１−１（第１ＳｅＮＢ）では、通信品質通知制御部２３１が、当該ＳｅＮＢ１１−１によるＵ−Ｐｌａｎｅのデータの通信について、あらかじめ定められた通信品質に関する情報をＭｅＮＢ１２に対して送信する。
【００７６】
（処理Ｔ１２）
ＳｅＮＢ１１−２（第２ＳｅＮＢ）では、通信品質通知制御部２３１が、当該ＳｅＮＢ１１−２によるＵ−Ｐｌａｎｅのデータの通信について、あらかじめ定められた通信品質に関する情報をＭｅＮＢ１２に対して送信する。
【００７７】
（処理Ｔ１３）
ＭｅＮＢ１２では、通信品質通知制御部３３１が、当該ＭｅＮＢ１２によるＵ−Ｐｌａｎｅのデータの通信について、あらかじめ定められた通信品質に関する情報、および、他の装置（ＳｅＮＢ１１−１〜１１−２）によるＵ−Ｐｌａｎｅのデータの通信について、当該他の装置から受信して収集した通信品質に関する情報を、まとめて、Ｓ−ＧＷ２に対して送信する。
【００７８】
（処理Ｔ１４）
Ｓ−ＧＷ２では、通信品質収集制御部４３１が、ＭｅＮＢ１２から送信される通信品質に関する情報すなわち各ｅＮＢ（ＳｅＮＢ１１−１、ＳｅＮＢ１１−２、ＭｅＮＢ１２）についての通信品質に関する情報を受信して、記憶部４１２に記憶させる。
そして、Ｓ−ＧＷ２では、データ通信制御部４３２が、記憶部４１２に記憶された通信品質に関する情報に基づいて、Ｕ−Ｐｌａｎｅのデータを送信するために使用するｅＮＢ（当該ｅＮＢを経由する通信経路）を選択して決定する。
以上の（処理Ｔ１１）〜（処理Ｔ１４）により、Ｓ−ＧＷ２は、選択したｅＮＢを経由してＵＥ１にＵ−Ｐｌａｎｅのデータを送信する通信経路を使用して、Ｕ−Ｐｌａｎｅのデータを送信する。
【００７９】
＜第２実施形態のまとめ＞
以上のように、本実施形態に係る通信システムでは、ＵＥ１が複数のｅＮＢ（本実施形態では、ＭｅＮＢとＳｅＮＢ）に同時に接続して通信することが可能な無線通信システムにおいて、各ｅＮＢを経由する通信経路の通信品質に関する情報をＳｅＮＢ１１からＭｅＮＢ１２を介してＳ−ＧＷ２に通知するとともにＭｅＮＢ１２から直接Ｓ−ＧＷ２に通知することで、インターネット４と接続するＳ−ＧＷ２は、収集した通信品質に関する情報を参照して、通信品質に応じた通信経路を選択することが可能となり、各ユーザトラヒックのデータ（本実施形態では、Ｕ−Ｐｌａｎｅのデータ）の通信経路として使用する通信経路をｅＮＢ間で切り替えることができる。
本実施形態に係る通信システムでは、各ｅＮＢが、ＭｅＮＢ１２からＳ−ＧＷ２に対して、自装置についての通信品質に関する情報を通知するためのインタフェースの機能を有することで、各ｅＮＢを経由する通信経路についての通信品質に関する情報をＳ−ＧＷ２が収集する。これにより、Ｓ−ＧＷ２は、収集した通信品質に関する情報に基づいて、Ｕ−Ｐｌａｎｅのデータを適切な通信経路に振り分けることが可能である。
【００８０】
したがって、本実施形態に係る通信システムでは、Ｕ−Ｐｌａｎｅのデータの通信について、通信効率を向上させることができ、特に、システムのスループットを向上させることができ、これにより、ＱｏＳ保証の実現性を高めることができる。このように、本実施形態に係る通信システムでは、制御信号（本実施形態では、Ｃ−Ｐｌａｎｅのデータの信号）の通信を行いつつ、データ信号（本実施形態では、Ｕ−Ｐｌａｎｅのデータの信号）の通信を品質良く行うことができる。
【００８１】
ここで、本実施形態に係る通信システムは、例えば、図８に示されるようなデュアルコネクティビティにおけるＵ−Ｐｌａｎｅのデータの通信（１Ａ：Ｓ−ＧＷ  ｆｌｏｗ  ｓｐｌｉｔｔｉｎｇ）のセットアップ時に適用して、動的な通信経路の制御を実現することができる。なお、本実施形態に係る通信システムは、他の状況（前記した１Ａ以外の状況）に適用されてもよい。一例として、本実施形態では、ＭｅＮＢ１２が各ｅＮＢ（ＭｅＮＢ自体およびＳｅＮＢ）についての通信品質に関する情報を収集するため、ＭｅＮＢ１２は、収集した情報を、図９に示されるようなデュアルコネクティビティにおけるＵ−Ｐｌａｎｅのデータの通信（３Ｃ：ＭｅＮＢ  ｂｅａｒｅｒ  ｓｐｌｉｔｔｉｎｇ）のセットアップ時に適用して、通信経路の制御を実現することができる。
【００８２】
例えば、無線リンクの帯域幅に関する情報や、バックホール回線の帯域幅に関する情報などのように、不変（例えば、システムの設計変更等がなければ不変）であるパラメータについては、このようなパラメータの情報のみ、各ＳｅＮＢから直接Ｓ−ＧＷ２に送信して通知し、他の情報については、各ＳｅＮＢからＭｅＮＢ１２を介してＳ−ＧＷ２に送信して通知する、構成が用いられてもよい。
【００８３】
また、本実施形態に係る通信システムでは、各ｅＮＢについての通信品質に関する情報をＳ−ＧＷ２により収集して通信経路（経由させるｅＮＢ）を選択する構成が示されたが、他の構成例として、通信品質に関する情報を収集する機能や、通信経路（経由させるｅＮＢ）を選択する機能が、それぞれ、Ｓ−ＧＷ２以外の任意のノードに備えられてもよい。Ｓ−ＧＷ２以外の任意のノードとしては、例えば、Ｓ−ＧＷ２に付随して設けられた所定の装置（例えば、制御装置など）や、Ｓ−ＧＷ２とは独立に設けられた所定の装置がある。
【００８４】
［以上の実施形態に係る構成例］
一構成例として、通信装置（図４の例では、Ｓ−ＧＷ２）から送信されるデータ信号（図４の例では、Ｕ−Ｐｌａｎｅのデータの信号）を受信し当該データ信号を端末装置（図４の例では、ＵＥ１）に対して送信することを行う第１の基地局装置（図４の例では、ＳｅＮＢ１１−１〜１１−２）と、端末管理装置（図４の例では、ＭＭＥ３）から送信される制御信号（図４の例では、Ｃ−Ｐｌａｎｅのデータの信号）を受信し当該制御信号を前記端末装置に対して送信することおよび前記通信装置から送信される前記データ信号を受信し当該データ信号を前記端末装置に対して送信することを行う第２の基地局装置（図４の例では、ＭｅＮＢ１２）と、を有する通信システムにおける前記第１の基地局装置であって、前記データ信号について通信品質に関する情報を前記通信装置（または、他の所定の装置）に対して通知するように制御する通信品質通知制御部（図１の例では、通信品質通知制御部２３１）と、前記通信装置から送信されるデータ信号を受信し、当該データ信号を前記端末装置に対して送信するように制御するデータ通信制御部（図１の例では、データ通信制御部２３２）と、を備える基地局装置（第１実施形態に係る図４の例では、ＳｅＮＢ１１−１〜１１−２）である。
【００８５】
一構成例として、通信装置（図４の例では、Ｓ−ＧＷ２）から送信されるデータ信号を受信し当該データ信号を端末装置（図４の例では、ＵＥ１）に対して送信することを行う第１の基地局装置（図４の例では、ＳｅＮＢ１１−１〜１１−２）と、端末管理装置（図４の例では、ＭＭＥ３）から送信される制御信号を受信し当該制御信号を前記端末装置に対して送信することおよび前記通信装置から送信される前記データ信号を受信し当該データ信号を前記端末装置に対して送信することを行う第２の基地局装置（図４の例では、ＭｅＮＢ１２）と、を有する通信システムにおける前記第２の基地局装置であって、前記データ信号について通信品質に関する情報を前記通信装置（または、他の所定の装置）に対して通知するように制御する通信品質通知制御部（図２の例では、通信品質通知制御部３３１）と、前記通信装置から送信されるデータ信号を受信し、当該データ信号を前記端末装置に対して送信するように制御するデータ通信制御部（図２の例では、データ通信制御部３３２）と、前記端末管理装置から送信される制御信号を受信し、当該制御信号を前記端末装置に対して送信するように制御する制御信号通信制御部（図２の例では、制御信号通信制御部３３３）と、を備える基地局装置（第１実施形態に係る図４の例では、ＭｅＮＢ１２）である。
【００８６】
一構成例として、通信装置（図６の例では、Ｓ−ＧＷ２）から送信されるデータ信号（図６の例では、Ｕ−Ｐｌａｎｅのデータの信号）を受信し当該データ信号を端末装置（図６の例では、ＵＥ１）に対して送信することを行う第１の基地局装置（図６の例では、ＳｅＮＢ１１−１〜１１−２）と、端末管理装置（図６の例では、ＭＭＥ３）から送信される制御信号（図６の例では、Ｃ−Ｐｌａｎｅのデータの信号）を受信し当該制御信号を前記端末装置に対して送信することおよび前記通信装置から送信される前記データ信号を受信し当該データ信号を前記端末装置に対して送信することを行う第２の基地局装置（図６の例では、ＭｅＮＢ１２）と、を有する通信システムにおける前記第１の基地局装置であって、前記データ信号について通信品質に関する情報を前記第２の基地局装置に対して通知するように制御する通信品質通知制御部（図１の例では、通信品質通知制御部２３１）と、前記通信装置から送信されるデータ信号を受信し、当該データ信号を前記端末装置に対して送信するように制御するデータ通信制御部（図１の例では、データ通信制御部２３２）と、を備える基地局装置（第２実施形態に係る図６の例では、ＳｅＮＢ１１−１〜１１−２）である。
【００８７】
一構成例として、通信装置（図６の例では、Ｓ−ＧＷ２）から送信されるデータ信号を受信し当該データ信号を端末装置（図６の例では、ＵＥ１）に対して送信することを行う第１の基地局装置（図６の例では、ＳｅＮＢ１１−１〜１１−２）と、端末管理装置（図６の例では、ＭＭＥ３）から送信される制御信号を受信し当該制御信号を前記端末装置に対して送信することおよび前記通信装置から送信される前記データ信号を受信し当該データ信号を前記端末装置に対して送信することを行う第２の基地局装置（図６の例では、ＭｅＮＢ１２）と、を有する通信システムにおける前記第２の基地局装置であって、前記データ信号について、前記第１の基地局装置から送信される通信品質に関する情報を受信し、受信した通信品質に関する情報および自装置（図６の例では、ＭｅＮＢ１２）についての通信品質に関する情報を前記通信装置（または、他の所定の装置）に対して通知するように制御する通信品質通知制御部（図２の例では、通信品質通知制御部３３１）と、前記通信装置から送信されるデータ信号を受信し、当該データ信号を前記端末装置に対して送信するように制御するデータ通信制御部（図２の例では、データ通信制御部３３２）と、前記端末管理装置から送信される制御信号を受信し、当該制御信号を前記端末装置に対して送信するように制御する制御信号通信制御部（図２の例では、制御信号通信制御部３３３）と、を備える基地局装置（第２実施形態に係る図６の例では、ＭｅＮＢ１２）である。
【００８８】
一構成例として、通信装置（図４の例では、Ｓ−ＧＷ２）から送信されるデータ信号を受信し当該データ信号を端末装置（図４の例では、ＵＥ１）に対して送信することを行う第１の基地局装置（図４の例では、ＳｅＮＢ１１−１〜１１−２）と、端末管理装置（図４の例では、ＭＭＥ３）から送信される制御信号を受信し当該制御信号を前記端末装置に対して送信することおよび前記通信装置から送信される前記データ信号を受信し当該データ信号を前記端末装置に対して送信することを行う第２の基地局装置（図４の例では、ＭｅＮＢ１２）と、を有する通信システムにおける前記通信装置または他の装置である通信制御装置（図４の例では、通信装置に対応するＳ−ＧＷ２）であって、前記第１の基地局装置から送信される通信品質に関する情報を受信し、前記第２の基地局装置から送信される通信品質に関する情報を受信する通信品質収集制御部（図３の例では、通信品質収集制御部４３１）と、前記通信品質収集制御部により受信された情報に基づいて、前記データ信号を前記端末装置に対して送信するために経由させる基地局装置を選択し、選択した基地局装置を経由させて前記データ信号を前記端末装置に対して送信するデータ通信制御部（図３の例では、データ通信制御部４３２）と、を備える通信制御装置（第１実施形態に係る図４の例では、Ｓ−ＧＷ２）である。
【００８９】
一構成例として、通信装置（図６の例では、Ｓ−ＧＷ２）から送信されるデータ信号を受信し当該データ信号を端末装置（図６の例では、ＵＥ１）に対して送信することを行う第１の基地局装置（図６の例では、ＳｅＮＢ１１−１〜１１−２）と、端末管理装置（図６の例では、ＭＭＥ３）から送信される制御信号を受信し当該制御信号を前記端末装置に対して送信することおよび前記通信装置から送信される前記データ信号を受信し当該データ信号を前記端末装置に対して送信することを行う第２の基地局装置（図６の例では、ＭｅＮＢ１２）と、を有する通信システムにおける前記通信装置または他の装置である通信制御装置（図６の例では、通信装置に対応するＳ−ＧＷ２）であって、前記第２の基地局装置から送信される前記第１の基地局装置についての通信品質に関する情報および前記第２の基地局装置についての通信品質に関する情報を受信する通信品質収集制御部（図３の例では、通信品質収集制御部４３１）と、前記通信品質収集制御部により受信された情報に基づいて、前記データ信号を前記端末装置に対して送信するために経由させる基地局装置を選択し、選択した基地局装置を経由させて前記データ信号を前記端末装置に対して送信するデータ通信制御部（図３の例では、データ通信制御部４３２）と、を備える通信制御装置（第２実施形態に係る図６の例では、Ｓ−ＧＷ２）である。
【００９０】
一構成例として、第１の基地局装置（図４の例では、ＳｅＮＢ１１−１〜１１−２）は、データ信号について通信品質に関する情報を通信装置または他の所定の装置である通信制御装置（図４の例では、通信装置に対応するＳ−ＧＷ２）に対して通知すること、および、前記通信装置から送信されるデータ信号を受信し当該データ信号を端末装置（図４の例では、ＵＥ１）に対して送信すること、を行い、第２の基地局装置（図４の例では、ＭｅＮＢ１２）は、前記データ信号について通信品質に関する情報を前記通信制御装置に対して通知すること、前記通信装置から送信される前記データ信号を受信し当該データ信号を前記端末装置に対して送信すること、および、端末管理装置（図４の例では、ＭＭＥ３）から送信される制御信号を受信し当該制御信号を前記端末装置に対して送信すること、を行い、前記通信制御装置は、前記第１の基地局装置から送信される通信品質に関する情報を受信すること、前記第２の基地局装置から送信される通信品質に関する情報を受信すること、および、受信された情報に基づいて、前記データ信号を前記端末装置に対して送信するために経由させる基地局装置を選択すること、を行う、通信システム（例えば、第１実施形態に係る図４に示される通信システム）である。
【００９１】
一構成例として、第１の基地局装置（図６の例では、ＳｅＮＢ１１−１〜１１−２）は、データ信号について通信品質に関する情報を第２の基地局装置（図６の例では、ＭｅＮＢ１２）に対して通知すること、および、通信装置（図６の例では、Ｓ−ＧＷ２）から送信されるデータ信号を受信し当該データ信号を端末装置（図６の例では、ＵＥ１）に対して送信すること、を行い、前記第２の基地局装置は、前記データ信号について、前記第１の基地局装置から送信される通信品質に関する情報を受信し、受信した通信品質に関する情報および自装置（前記第２の基地局装置）についての通信品質に関する情報を前記通信装置または他の所定の装置である通信制御装置（図６の例では、通信装置に対応するＳ−ＧＷ２）に対して通知すること、前記通信装置から送信される前記データ信号を受信し当該データ信号を前記端末装置に対して送信すること、および、端末管理装置（図６の例では、ＭＭＥ３）から送信される制御信号を受信し当該制御信号を前記端末装置に対して送信すること、を行い、前記通信制御装置は、前記第２の基地局装置から送信される通信品質に関する情報を受信すること、および、受信された情報に基づいて、前記データ信号を前記端末装置に対して送信するために経由させる基地局装置を選択すること、を行う、通信システム（例えば、第２実施形態に係る図６に示される通信システム）である。
【００９２】
一構成例として、第１の基地局装置（図４の例では、ＳｅＮＢ１１−１〜１１−２）は、データ信号について通信品質に関する情報を通信装置または他の所定の装置である通信制御装置に対して通知すること、および、前記通信装置から送信されるデータ信号を受信し当該データ信号を端末装置に対して送信すること、を行い、第２の基地局装置（図４の例では、ＭｅＮＢ１２）は、前記データ信号について通信品質に関する情報を前記通信制御装置に対して通知すること、前記通信装置から送信される前記データ信号を受信し当該データ信号を前記端末装置に対して送信すること、および、端末管理装置から送信される制御信号を受信し当該制御信号を前記端末装置に対して送信すること、を行い、前記通信制御装置は、前記第１の基地局装置から送信される通信品質に関する情報を受信すること、前記第２の基地局装置から送信される通信品質に関する情報を受信すること、および、受信された情報に基づいて、前記データ信号を前記端末装置に対して送信するために経由させる基地局装置を選択すること、を行う、通信方法（例えば、第１実施形態に係る図４に示される通信システムにおいて行われる通信の方法）である。
【００９３】
一構成例として、第１の基地局装置（図６の例では、ＳｅＮＢ１１−１〜１１−２）は、データ信号について通信品質に関する情報を第２の基地局装置（図６の例では、ＭｅＮＢ１２）に対して通知すること、および、通信装置から送信されるデータ信号を受信し当該データ信号を端末装置に対して送信すること、を行い、前記第２の基地局装置は、前記データ信号について、前記第１の基地局装置から送信される通信品質に関する情報を受信し、受信した通信品質に関する情報および自装置（前記第２の基地局装置）についての通信品質に関する情報を前記通信装置または他の所定の装置である通信制御装置に対して通知すること、前記通信装置から送信される前記データ信号を受信し当該データ信号を前記端末装置に対して送信すること、および、端末管理装置から送信される制御信号を受信し当該制御信号を前記端末装置に対して送信すること、を行い、前記通信制御装置は、前記第２の基地局装置から送信される通信品質に関する情報を受信すること、および、受信された情報に基づいて、前記データ信号を前記端末装置に対して送信するために経由させる基地局装置を選択すること、を行う、通信方法（例えば、第２実施形態に係る図６に示される通信システムにおいて行われる通信の方法）である。
【００９４】
なお、制御信号、データ信号、それぞれの基地局装置（第１の基地局装置、第２の基地局装置）、端末装置（例えば、基地局装置と無線により通信する装置）、端末管理装置（例えば、端末装置に関する情報を記憶して管理する装置）、通信装置（例えば、ネットワーク（一例として、外部のネットワークであるインターネット）と接続される装置）、通信装置以外の通信制御装置（例えば、通信装置に付随等する他の装置）などとしては、それぞれ、以上の実施形態で示したもの（図４や図６に示されるもの）とは異なるもの（例えば、異なる通信システムの装置）に適用されてもよい。
【００９５】
［以上の実施形態のまとめ］
以上、本発明の実施形態について図面を参照して詳述したが、具体的な構成はこの実施形態に限られるものではなく、本発明の要旨を逸脱しない範囲の設計変更等も含まれる。
【００９６】
また、以上に示した実施形態に係る各装置（例えば、ＵＥ１、Ｓ−ＧＷ２、ＭＭＥ３、ＳｅＮＢ１１、ＭｅＮＢ１２の装置）の機能を実現するためのプログラムをコンピュータ読み取り可能な記録媒体に記録して、この記録媒体に記録されたプログラムをコンピュータシステムに読み込ませ、実行することにより、処理を行ってもよい。
【００９７】
なお、ここでいう「コンピュータシステム」とは、オペレーティング・システム（ＯＳ：Ｏｐｅｒａｔｉｎｇ  Ｓｙｓｔｅｍ）や周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことをいう。
【００９８】
さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピュータシステムに既に記録されているプログラムとの組み合わせで実現できるもの、いわゆる差分ファイル（差分プログラム）であってもよい。
【符号の説明】
【００９９】
１…ＵＥ、２…Ｓ−ＧＷ、３…ＭＭＥ、４…インターネット、１１、１１−１〜１１−２…ＳｅＮＢ、１２…ＭｅＮＢ、１０１、１０１−１〜１０１−２、１０２…通信領域、２１１、３１１、４１１…通信部、２１２、３１２、４１２…記憶部、２１３、３１３、４１３…制御部、２３１、３３１…通信品質通知制御部、２３２、３３２、４３２…データ通信制御部、３３３…制御信号通信制御部、４３１…通信品質収集制御部
【図１】
2015177509.tif 000003
【図２】
2015177509.tif 000004
【図３】
2015177509.tif 000005
【図４】
2015177509.tif 000006
【図５】
2015177509.tif 000007
【図６】
2015177509.tif 000008
【図７】
2015177509.tif 000009
【図８】
2015177509.tif 000010
【図９】
2015177509.tif 000011